(57)【要約】【課題】ＩＰをベースとした通信伝送路に対して親和性の高いものとし、複数の放送伝送路を利用してＴＬＶパケット形式で所定のデータを分割してバルク伝送するよう制御する送信装置及び受信装置を提供する。【解決手段】本発明の送信装置１１は、信号源装置１０から大容量データを入力してＴＬＶパケット形式の信号に変換し、当該複数の放送伝送路に用いる伝送方式（ＩＳＤＢ−Ｓ３等）に準拠したフレーム長の分割フレームを定め、該分割フレームを基準にＴＬＶパケット形式の信号に変換された所定のデータを分割伝送するよう、当該複数の放送伝送路における各送信機１２、並びに当該通信伝送路（ＩＰネットワーク１９）への接続を制御する。本発明の受信装置１７は、送信装置１１によってバルク伝送された当該所定のデータを受信する際に当該分割フレームを再構成してその有効データについて連結し、当該大容量データを復元し外部出力する。【選択図】図１
2020123763.tif 000002
【特許請求の範囲】
【請求項１】
複数の放送伝送路を利用してＴＬＶ（Type Length Value）パケット形式で所定のデータをバルク伝送するよう制御する送信装置であって、
信号源装置からバルク伝送の対象となる所定のデータを入力し、ＴＬＶパケット形式の信号に変換するＴＬＶ信号生成手段と、
当該バルク伝送に用いる複数の放送伝送路に対して共通する伝送方式に準拠したフレーム長の分割フレームを定め、当該所定のデータの伝送に要する情報ビットレートが当該複数の放送伝送路の最大伝送レート内に収まるときは当該複数の放送伝送路に応じた数の基本分割スロットで当該分割フレームを構成し、当該所定のデータの伝送に要する情報ビットレートが当該複数の放送伝送路で伝送可能な最大伝送レートを超えるときは更にＩＰ（Internet Protocol）ベースの通信伝送路の数の基本分割スロットを加えて当該分割フレームを構成し、該分割フレームを基準に前記ＴＬＶパケット形式の信号に変換された所定のデータを分割伝送するよう、当該複数の放送伝送路における各送信機、並びに当該通信伝送路への接続を制御する分割フレーム生成手段と、
を備えることを特徴とする送信装置。
【請求項２】
前記分割フレーム生成手段は、当該分割フレームを構成する各基本分割スロットに対し、その先頭のＴＬＰパケットを示す先頭ＴＬＶパケットを各基本分割スロット内の他のＴＬＰパケットとは区別するようＴＬＶヘッダ内の設定で定め、いずれの分割フレームにおける、いずれの基本分割スロットの先頭を示すＴＬＶパケットであるかを受信側で識別できるようにして当該分割フレームを構成することを特徴とする、請求項１に記載の送信装置。
【請求項３】
前記分割フレーム生成手段は、当該分割フレームを構成する際に、当該複数の放送伝送路の各々の符号化変調方式に基づきそれぞれ対応する情報ビットレートを算出し、各基本分割スロットを構成する当該分割フレームのフレーム長が一定値になるよう各情報ビットレートに応じて割り当てたデータの後段にヌルを挿入して当該複数の放送伝送路用の基本分割スロット、並びに当該複数の放送伝送路用に合わせて当該通信伝送路用の基本分割スロットを形成することを特徴とする、請求項１又は２に記載の送信装置。
【請求項４】
前記分割フレーム生成手段は、ＴＬＶパケット形式で前記所定のデータを分割してバルク伝送する際に、当該分割フレームを構成する基本分割スロットのスロット分割数を変更可能とし、当該分割フレームを構成する基本分割スロットのスロット分割数及び各基本分割スロットの固有番号の情報を受信側に通知する手段を有することを特徴とする、請求項１から３のいずれか一項に記載の送信装置。
【請求項５】
請求項１から４のいずれか一項に記載の送信装置によってバルク伝送された当該所定のデータを受信する受信装置であって、
当該複数の放送伝送路、並びに当該通信伝送路を経てバルク伝送されたＴＬＶパケット形式の信号を受信して該送信装置で生成した分割フレームを再構成する分割フレーム再構成手段と、
当該再構成した分割フレームに基づく各基本分割スロットの有効データについて連結し、前記信号源装置から送出されたものと同じ信号形式の所定のデータを復元し、外部出力する出力信号生成手段と、
を備えることを特徴とする受信装置。
【請求項６】
前記分割フレーム再構成手段は、当該複数の放送伝送路、並びに当該通信伝送路を経て受信したＴＬＶパケット形式の信号のうちＴＬＶヘッダ内の設定情報を基に先頭ＴＬＶパケットを判別して、いずれの分割フレームにおける、いずれの基本分割スロットの先頭を示すＴＬＶパケットであるかを識別して該送信装置で生成した分割フレームを再構成することを特徴とする、請求項５に記載の受信装置。
【請求項７】
前記分割フレーム再構成手段は、当該分割フレームを再構成する際に、当該複数の放送伝送路の各々の符号化変調方式に基づきそれぞれ対応する情報ビットレートを算出し、各基本分割スロットを構成する当該分割フレームのフレーム長が一定値になるよう各情報ビットレートに応じて割り当てたデータの後段にヌルを挿入して当該複数の放送伝送路用の基本分割スロット、並びに当該複数の放送伝送路用に合わせて当該通信伝送路用の基本分割スロットを形成することを特徴とする、請求項５又は６に記載の受信装置。
【請求項８】
前記分割フレーム生成手段は、該送信装置から事前通知された、当該分割フレームを構成する基本分割スロットのスロット分割数及び各基本分割スロットの固有番号の情報を基に、当該再構成する分割フレームの構造を識別する手段を有することを特徴とする、請求項５から７のいずれか一項に記載の受信装置。
【発明の詳細な説明】
【技術分野】
【０００１】
本発明は、衛星放送及び地上放送並びに固定通信及び移動通信の技術分野に関するものであり、特に、デジタルデータの時分割多重伝送に係る送信装置及び受信装置に関する。
【背景技術】
【０００２】
デジタル伝送方式では、各サービスで利用可能な周波数帯域幅において、より多くの情報が伝送可能なよう、多値変調方式がよく用いられる。周波数利用効率を高めるには、変調信号１シンボル当たりに割り当てるビット数（変調次数）を高めるのが有効であるが、周波数１Ｈｚあたりに伝送可能な情報速度の上限値と信号対雑音比の関係はシャノン限界で制限される。衛星伝送路を用いた情報の伝送形態の一例として、衛星デジタル放送が挙げられる。
【０００３】
現在利用されている衛星デジタル放送では、誤り訂正符号を用いた受信装置における情報訂正が行われている。パリティビットと呼ばれる冗長信号を送るべき情報に付加することで信号の冗長度（符号化率）を制御し、雑音に対する耐性を上げることが可能である。誤り訂正符号と変調方式は密接に関わっており、信号対雑音比に対する周波数利用効率の理論的な上限値はシャノン限界と呼ばれる。シャノン限界に迫る性能を有する強力な誤り訂正符号の一つとしてＬＤＰＣ（Low Density Parity Check）符号が１９６２年にギャラガーによって提案されている（例えば、非特許文献１参照）。
【０００４】
ＬＤＰＣ符号は、非常に疎な検査行列Ｈ（検査行列の要素が０と１からなり、且つ１の数が非常に少ない）により定義される線形符号である。
【０００５】
ＬＤＰＣ符号は符号長を大きくし、適切な検査行列を用いることによりシャノン限界に迫る伝送特性が得られる強力な誤り訂正符号であり、現在又は次世代の放送サービスである４Ｋ・８Ｋスーパーハイビジョン衛星放送の伝送方式を規定するＡＲＩＢ ＳＴＤ−Ｂ４４（以下、高度衛星放送方式（ＩＳＤＢ−Ｓ３）と呼ぶ。例えば、非特許文献２参照）においてもＬＤＰＣ符号が採用されている。多値変調とＬＤＰＣ符号をはじめとする強力な誤り訂正符号を組み合わせることで、より高い周波数利用効率の伝送が可能となってきている。
【０００６】
高度衛星放送方式（ＩＳＤＢ−Ｓ３）を例にした場合、本方式におけるＬＤＰＣ符号の符号長は、前方向誤り訂正方式（ＦＥＣ：Forward Error Correction）フレームで構成され、４４８８０ビットであり、ＢＰＳＫ限界（信号点配置をＢＰＳＫとした場合の信号対雑音比に対する周波数利用効率の理論的な上限値）から約１ｄＢ以内の性能を有することが示されている（例えば、非特許文献３参照）。
【０００７】
尚、高度衛星放送方式（ＩＳＤＢ−Ｓ３）においては、ＬＤＰＣ符号化率として、４１／１２０（≒１／３）、４９／１２０（≒２／５）、６１／１２０（≒１／２）、７３／１２０（≒３／５）、８１／１２０（≒２／３）、８９／１２０（≒３／４）、９３／１２０（≒７／９）、９７／１２０（≒４／５）、１０１／１２０（≒５／６）、１０５／１２０（≒７／８）、及び、１０９／１２０（≒９／１０）の１１種類が定められている。
【０００８】
ところで、昨今、現行の衛星・地上放送による２Ｋサービスや、衛星放送による４Ｋ・８Ｋスーパーハイビジョンに加え、新たに地上放送による４Ｋ・８Ｋスーパーハイビジョンの提供が期待されている。しかしながら、衛星放送で使用される１２ＧＨｚ帯に着目すると、利用可能な周波数はひっ迫しており、４Ｋ・８Ｋサービスを超える次世代コンテンツの伝送にむけては十分な周波数帯域幅を確保することが困難な状況にある。
【０００９】
そこで、十分な帯域幅が確保できない状況において、大容量伝送を帯域毎に分割して伝送するバルク伝送という技術がある（例えば、特許文献１参照）。通信分野においてもデータを分割送信する技術が知られており、キャリアアグリーションとして実現されている（例えば、非特許文献４参照）。
【先行技術文献】
【特許文献】
【００１０】
【特許文献１】特開２００９−２６０４０８号公報
【非特許文献】
【００１１】
【非特許文献１】R. G Gallager, “Low Density Parity Check Codes,” in Research Monograph series Cambridge, MIT Press, 1963
【非特許文献２】“高度広帯域衛星デジタル放送の伝送方式（ＩＳＤＢ−Ｓ３）  標準規格  ARIB STD-B44  2.1版”、［online］、平成28年3月25日改定、ARIB、［平成30年12月28日検索］、インターネット〈URL：https://www.arib.or.jp/kikaku/kikaku_hoso/std-b44.html〉
【非特許文献３】鈴木他, “高度ＢＳデジタル放送用ＬＤＰＣ符号の設計”、映像情報メディア学会誌、一般社団法人映像情報メディア学会、映像情報メディア vol.62、No.12、2008年12月1日、pp.1997-2004
【非特許文献４】“キャリアアグリゲーションの概要”、［online］、［平成30年12月28日検索］、インターネット〈URL：http://www.kddi.com/yogo/%E9%80%9A%E4%BF%A1%E3%82%B5%E3%83%BC%E3%83%93%E3%82%B9/%E3%82%AD%E3%83%A3%E3%83%AA%E3%82%A2%E3%82%A2%E3%82%B0%E3%83%AA%E3%82%B2%E3%83%BC%E3%82%B7%E3%83%A7%E3%83%B3.html〉
【発明の概要】
【発明が解決しようとする課題】
【００１２】
上述したように、十分な帯域幅が確保できない状況において、大容量伝送を帯域毎に分割して伝送するバルク伝送という技術が知られている。
【００１３】
また、昨今は放送と通信の融合に伴い、電波の垣根を越えた伝送形態の多様化が進んでおり、特にＩＰ（Internet Protocol）をベースとした通信伝送方式における通信伝送路と放送伝送路とを利用してデータ伝送する伝送システムの構築が進んでいる。第５世代移動通信システム（５Ｇ）を始めとした次世代通信ネットワークも、放送伝送路（特に、衛星伝送路）との融合が有効であり、今後、放送伝送方式は、ＩＰをベースとした通信伝送方式との共通化への要望が更に加速することが想定される。
【００１４】
例えば１２ＧＨｚ帯における衛星放送用周波数のひっ迫した状況下で、大容量伝送を可能とするバルク伝送の放送技術は、ＩＰをベースとした通信伝送方式に対しても親和性の高いものが要望される。即ち、今後、データ伝送に関して十分な帯域幅が確保できない状況において、複数の放送伝送路を利用して大容量データを帯域（周波数割り当て）毎に分割してバルク伝送するとともに、ＩＰをベースとした通信伝送方式における通信伝送路へと融合し、容易に伝送データを転換又は結合できる技法が望まれる。少なくとも、４Ｋ・８Ｋ衛星放送で利用される高度衛星放送方式（ＩＳＤＢ−Ｓ３）では、今後、ＩＰをベースとした通信伝送路に対して親和性の高いものとし、複数の放送伝送路を利用して大容量データを帯域（周波数割り当て）毎に分割してバルク伝送するよう制御するための送信装置及び受信装置が必要である。
【００１５】
本発明の目的は、上述の問題に鑑みて、ＩＰをベースとした通信伝送路に対して親和性の高いものとし、複数の放送伝送路を利用してＴＬＶ（Type Length Value）パケット形式で所定のデータを分割してバルク伝送するよう制御する送信装置及び受信装置を提供することにある。
【課題を解決するための手段】
【００１６】
本発明の送信装置は、複数の放送伝送路を利用してＴＬＶ（Type Length Value）パケット形式で所定のデータをバルク伝送するよう制御する送信装置であって、信号源装置からバルク伝送の対象となる所定のデータを入力し、ＴＬＶパケット形式の信号に変換するＴＬＶ信号生成手段と、当該バルク伝送に用いる複数の放送伝送路に対して共通する伝送方式に準拠したフレーム長の分割フレームを定め、当該所定のデータの伝送に要する情報ビットレートが当該複数の放送伝送路の最大伝送レート内に収まるときは当該複数の放送伝送路に応じた数の基本分割スロットで当該分割フレームを構成し、当該所定のデータの伝送に要する情報ビットレートが当該複数の放送伝送路で伝送可能な最大伝送レートを超えるときは更にＩＰ（Internet Protocol）ベースの通信伝送路の数の基本分割スロットを加えて当該分割フレームを構成し、該分割フレームを基準に前記ＴＬＶパケット形式の信号に変換された所定のデータを分割伝送するよう、当該複数の放送伝送路における各送信機、並びに当該通信伝送路への接続を制御する分割フレーム生成手段と、を備えることを特徴とする。
【００１７】
また、本発明の送信装置において、前記分割フレーム生成手段は、当該分割フレームを構成する各基本分割スロットに対し、その先頭のＴＬＰパケットを示す先頭ＴＬＶパケットを各基本分割スロット内の他のＴＬＰパケットとは区別するようＴＬＶヘッダ内の設定で定め、いずれの分割フレームにおける、いずれの基本分割スロットの先頭を示すＴＬＶパケットであるかを受信側で識別できるようにして当該分割フレームを構成することを特徴とする。
【００１８】
また、本発明の送信装置において、前記分割フレーム生成手段は、当該分割フレームを構成する際に、当該複数の放送伝送路の各々の符号化変調方式に基づきそれぞれ対応する情報ビットレートを算出し、各基本分割スロットを構成する当該分割フレームのフレーム長が一定値になるよう各情報ビットレートに応じて割り当てたデータの後段にヌルを挿入して当該複数の放送伝送路用の基本分割スロット、並びに当該複数の放送伝送路用に合わせて当該通信伝送路用の基本分割スロットを形成することを特徴とする。
【００１９】
また、本発明の送信装置において、前記分割フレーム生成手段は、ＴＬＶパケット形式で前記所定のデータを分割してバルク伝送する際に、当該分割フレームを構成する基本分割スロットのスロット分割数を変更可能とし、当該分割フレームを構成する基本分割スロットのスロット分割数及び各基本分割スロットの固有番号の情報を受信側に通知する手段を有することを特徴とする。
【００２０】
更に、本発明の受信装置は、本発明の送信装置によってバルク伝送された当該所定のデータを受信する受信装置であって、当該複数の放送伝送路、並びに当該通信伝送路を経てバルク伝送されたＴＬＶパケット形式の信号を受信して該送信装置で生成した分割フレームを再構成する分割フレーム再構成手段と、当該再構成した分割フレームに基づく各基本分割スロットの有効データについて連結し、前記信号源装置から送出されたものと同じ信号形式の所定のデータを復元し、外部出力する出力信号生成手段と、を備えることを特徴とする。
【００２１】
また、本発明の受信装置において、前記分割フレーム再構成手段は、当該複数の放送伝送路、並びに当該通信伝送路を経て受信したＴＬＶパケット形式の信号のうちＴＬＶヘッダ内の設定情報を基に先頭ＴＬＶパケットを判別して、いずれの分割フレームにおける、いずれの基本分割スロットの先頭を示すＴＬＶパケットであるかを識別して該送信装置で生成した分割フレームを再構成することを特徴とする。
【００２２】
また、本発明の受信装置において、前記分割フレーム再構成手段は、当該分割フレームを再構成する際に、当該複数の放送伝送路の各々の符号化変調方式に基づきそれぞれ対応する情報ビットレートを算出し、各基本分割スロットを構成する当該分割フレームのフレーム長が一定値になるよう各情報ビットレートに応じて割り当てたデータの後段にヌルを挿入して当該複数の放送伝送路用の基本分割スロット、並びに当該複数の放送伝送路用に合わせて当該通信伝送路用の基本分割スロットを形成することを特徴とする。
【００２３】
また、本発明の受信装置において、前記分割フレーム生成手段は、該送信装置から事前通知された、当該分割フレームを構成する基本分割スロットのスロット分割数及び各基本分割スロットの固有番号の情報を基に、当該再構成する分割フレームの構造を識別する手段を有することを特徴とする。
【発明の効果】
【００２４】
本発明によれば、放送伝送路の周波数がひっ迫する環境においても、データ伝送に係る全体の伝送容量を高め、ＩＰとの親和性の高い伝送システムを実現することが可能となる。
【図面の簡単な説明】
【００２５】
【図１】本発明による一実施例の送信装置及び受信装置を備える伝送システムの概略構成を示すブロック図である。
【図２】本発明による一実施例の送信装置の概略構成を示すブロック図である。
【図３】本発明による一実施例の送信装置で用いるＴＬＶパケットの構成図である。
【図４】本発明による一実施例の送信装置で用いる分割フレームの構成図である。
【図５】本発明による一実施例の送信装置で用いる分割フレームに係る先頭ＴＬＶパケットの構成図である。
【図６】本発明による一実施例の送信装置で制御する各送信機（例：ＩＳＤＢ−Ｓ３）の変調方式、ＬＤＰＣ符号化率、基本分割スロットのペイロードサイズ、及び挿入するヌルＴＬＶパケット長の関係を例示する図である。
【図７】送信機（例：ＩＳＤＢ−Ｓ３）がサポートする符号化変調方式として１６ＡＰＳＫ（ＬＤＰＣ符号化率：７／９）固定時における基本分割スロットの構成例である。
【図８】各送信機（例：ＩＳＤＢ−Ｓ３）がサポートする符号化変調方式として１６ＡＰＳＫ（ＬＤＰＣ符号化率：７／９）固定時におけるフレーム分割数５（４個の送信機（放送伝送路）用及び１個のＩＰネットワーク（通信伝送路）用の基本分割スロット）の構成例である。
【図９】本発明による一実施例の受信装置の概略構成を示すブロック図である。
【発明を実施するための形態】
【００２６】
以下、図面を参照しながら、本発明による一実施形態の送信装置１１及び受信装置１７を備える伝送システム１を詳細に説明する。
【００２７】
（伝送システム）
図１は、本発明による一実施例の送信装置１１及び受信装置１７を備える伝送システム１の概略構成を示すブロック図である。図１に示す伝送システム１の例では、信号源装置１０、送信装置１１、ｍ（ｍ＞１）台の送信機１２‐１，１２‐２，…，１２‐ｍ（以下、総括して「送信機１２」とも称する。）、ｍ台の送信アンテナ１３‐１，１３‐２，…，１３‐ｍ（以下、総括して「送信アンテナ１３」とも称する。）、放送衛星１４、本例では１台の受信アンテナ１５、ｍ台の受信機１６‐１，１６‐２，…，１６‐ｍ（以下、総括して「受信機１６」とも称する。）、受信装置１７、表示装置１８、及びＩＰネットワーク１９を備えるように構成される。
【００２８】
本実施例に係る伝送システム１におけるｍ台の送信機１２、及びこれにそれぞれ対応するｍ台の受信機１６の各々は、高度衛星放送方式（ＩＳＤＢ−Ｓ３）に準拠した装置であり、ＩＳＤＢ−Ｓ３でサポートされる符号化変調方式（ＬＤＰＣ符号、及び現行規格上で最大多値変調３２ＡＰＳＫ）でデータ伝送可能としている。つまり、送信機１２‐ｍは、伝送するデータに対し所定のＬＤＰＣ符号化率に従うＬＤＰＣ符号化処理を施し（ＢＣＨ符号を付加することもある）、所定の変調方式に従うマッピングを施した変調信号を生成し、放送衛星１４に向けてアップリンクする。放送衛星１４は、当該変調信号を受信アンテナ１５に向けてダウンリンクする。受信機１６‐ｍは受信アンテナ１５を介して当該変調信号を受信して送信機１２‐ｍの符号化変調方式に対応する復調・復号処理を施し、送信機１２‐ｍから伝送される当該データを復元する。尚、ｍ台の受信機１６の機能を有する１台の受信機としてもよい。
【００２９】
つまり、ｍ台の送信機１２、ｍ台の送信アンテナ１３、放送衛星１４、受信アンテナ１５、及びｍ台の受信機１６は、所謂、Multi-Input Multi-Output（MIMO）又はMulti-Input Single-Output（MISO）の放送伝送システムと同様に、複数（ｍ個）の放送伝送路を構成している。ＩＰネットワーク１９は、ＩＰをベースとした通信伝送方式における通信伝送路を構成している。例えば、ＩＰネットワーク１９は、ＩＰｖ４又はＩＰｖ６等のインターネットプロトコルで構成された一般的な通信伝送路とすることができる。尚、本例では、放送伝送路として、複数の衛星伝送路を用いる例を説明するが、これに限定するものではなく、次世代の複数の地上伝送路を用いたものとしてもよい。
【００３０】
そして、送信装置１１は、複数の放送伝送路（本例では、衛星伝送路）と、必要であればＩＰネットワーク１９による通信伝送路を利用して、信号源装置１０から取得する大容量データを受信装置１７に向けてバルク伝送するよう、ｍ台の送信機１２を制御する。
【００３１】
図１に示す信号源装置１０は、本伝送システム１で伝送するデータを送信装置１１に対して送出する装置であり、送信装置１１がＩＰネットワーク１９による通信伝送路をも利用できるようになっていることから、ｍ台の送信機１２で伝送可能な最大伝送レート（３２ＡＰＳＫ（９／１０）において１４７．４５７８Ｍｂｐｓの情報ビットレート）よりも高い伝送レートであっても送信装置１１に対してデータを送出することができるようになっている。
【００３２】
例えば、送信装置１１は、信号源装置１０からｍ台の送信機１２で伝送可能な最大伝送レートを超えるＩａｌｌの情報ビットレートのデータを入力し、ｍ台の送信機１２及びＩＰネットワーク１９に対して、図４を参照して後述する分割フレームに基づいて当該データを分配して出力する。具体的には、送信装置１１は、送信機１２‐１に対しては情報ビットレートＩ１で、送信機１２‐２に対しては情報ビットレートＩ２で、送信機１２‐ｍに対しては情報ビットレートＩｍで分配し、ｍ台の送信機１２で伝送可能な最大伝送レートを超える残りのデータに関して、ＩＰネットワーク１９に対しては情報ビットレートＩｎで、信号源装置１０から取得する大容量データを分配して出力する。
【００３３】
信号源装置１０から取得する大容量データの情報ビットレートがＩａｌｌの場合、そのＩａｌｌと送信装置１１による分配後の情報ビットレートＩ１，Ｉ２，…，Ｉｎとの間には、情報ビットレートの計測範囲を送信すべき映像、音声等の実データ（ヘッダを除くペイロード）に限定した場合、以下の式（１）が成立する。
【００３４】
【数１】
2020123763.tif 000003
【００３５】
ここで、送信装置１１は、信号源装置１０から取得する大容量データを伝送するにあたり、衛星伝送路として利用するｍ台の送信機１２を予め決定しており、ｍ台の送信機１２の各々で設定される変調方式及びＬＤＰＣ符号化率によって伝送可能な最大値が定まるため、ｍ台の送信機１２の各々から、当該変調方式及びＬＤＰＣ符号化率を指定するＴＭＣＣ（Transmission and Multiplexing Configuration Control）情報（ＴＭＣＣ１，ＴＭＣＣ２，…，ＴＭＣＣｍ）を取得することで、当該情報ビットレートＩ１，Ｉ２，…，Ｉｍを定めることができる。尚、ｍ台の送信機１２が固定の符号化変調方式を用いるものとして予め定めているときは、ＴＭＣＣ情報を取得することなく、当該情報ビットレートＩ１，Ｉ２，…，Ｉｍを定めることができる。
【００３６】
そして、送信装置１１は、信号源装置１０から取得する大容量データの情報ビットレートＩａｌｌがＩＰネットワーク１９を利用することなくｍ台の送信機１２のみで伝送可能である時、そのｍ台の送信機１２の範囲内で当該大容量データを分配する。
【００３７】
ｍ台の送信機１２は、それぞれに分配された当該情報ビットレートＩ１，Ｉ２，…，Ｉｍの各データに関してそれぞれの符号化変調方式に基づく変調信号を生成して、それぞれの送信アンテナ１３を介して放送衛星１４にアップリンクする。
【００３８】
放送衛星１４にアップリンクされたｍ台の送信機１２からの各変調信号は、当該放送衛星１４がカバーするサービスエリアにおける受信アンテナ１５に向けて、一斉にダウンリンクする。
【００３９】
ｍ台の受信機１６は、それぞれ受信アンテナ１５を介してｍ台の送信機１２からの対応する変調信号を受信して、ｍ台の送信機１２の各々における符号化変調方式に対応する復調・復号処理を施し、ｍ台の送信機１２から伝送される各データを復元し、ＴＭＣＣ情報（ＴＭＣＣ１，ＴＭＣＣ２，…，ＴＭＣＣｍ）とともに受信装置１７に送出する。
【００４０】
受信装置１７は、本例ではｍ台の受信機１６から得られるＴＭＣＣ情報（ＴＭＣＣ１，ＴＭＣＣ２，…，ＴＭＣＣｍ）を基に、当該ｍ台の送信機１２から伝送される当該情報ビットレートＩ１，Ｉ２，…，Ｉｍの各データについて図４を参照して後述する分割フレームを再構成する。また、受信装置１７は、送信装置１１からＩＰネットワーク１９を経て送出される分配後の一部データ（情報ビットレートＩｎのデータ）があるときは、そのデータをも受信して、図４を参照して後述する分割フレームを再構成する。
【００４１】
そして、受信装置１７は、ｍ台の受信機１６及びＩＰネットワーク１９を経由して伝送された分割データ（情報ビットレートＩ１，Ｉ２，…，Ｉｎのデータ）の全てを受信し、再構成した当該分割フレームにおける各基本分割スロットの有効データについて各基本分割スロットの昇順に連結し、信号源装置１０から送出されたものと同じ信号形式の大容量データ（情報ビットレートＩａｌｌで伝送されたものとしたときと等価なデータ）を復元し、表示装置１８に適した出力信号を生成して表示装置１８に出力する。
【００４２】
表示装置１８は、受信装置１７を介して、信号源装置１０から送出された大容量データを再生する。尚、表示装置１８の代わりに、大容量データを記録媒体に記録する記録装置としてもよい。
【００４３】
また、送信装置１１と信号源装置１０との間、及び送信装置１１とｍ台の送信機１２との間の接続は、専用線による直接的な通信形態としてもよいし、ＩＰベースのローカルエリアネットワークを介した接続としてもよい。同様に、受信装置１１と表示装置１８との間、及び受信装置１１とｍ台の受信機１６との間の接続は、専用線による直接的な通信形態としてもよいし、ＩＰベースのローカルエリアネットワークを介した接続としてもよい。
【００４４】
以下、より具体的に、本発明に係る一実施例の送信装置１１について詳細に説明する。
【００４５】
（送信装置）
図２は、本発明による一実施例の送信装置１１の概略構成を示すブロック図である。この送信装置１１は、ＴＬＶ信号生成部１１１、分割フレーム生成部１１２、及びＩＰカプセル化部１１３、を備える。
【００４６】
ＴＬＶ信号生成部１１１は、信号源装置１０から、情報ビットレートＩａｌｌの大容量データ（映像及び音声等を含む）を入力し、ＴＬＶパケット形式の信号（例えば、ＡＲＩＢ  ＳＴＤ−Ｂ３２，第３分冊，Ｐ．２０，３．５，ＴＬＶパケット参照）に変換（格納）して分割フレーム生成部１１２に出力する。
【００４７】
例えば、信号源装置１０は、情報ビットレートＩａｌｌの大容量データとして、ＩＰベースの可変長信号（以下、「ＩＰ信号」と称する。）でＴＬＶ信号生成部１１１に送出する例を説明する。このようなＩＰ信号は、例えばイーサネット（登録商標）のフレームに格納されたＩＰパケットであってもよい。
【００４８】
ＴＬＶ信号生成部１１１は、ＩＰ信号の形式で入力される場合、信号源装置１０から得られる可変長のＩＰパケットのパケット長を判別し、図３に示すようにＴＬＶパケット形式の信号に準拠した４バイト長のＴＬＶヘッダを生成し、ＴＬＶパケットペイロードの部分に付与する。通常、ＴＬＶヘッダは、パケットタイプフィールド（“０ｘ７Ｆ”を示す１バイトと、タイプ（Ｔｙｐｅ）を示す１バイト）と、パケット長さフィールド（ｌｅｎｇｔｈ）を示す２バイトから構成される。
【００４９】
ここで、図３ではＴＬＶパケットペイロード内にＩＰパケットを格納するよう変換する例を示しているが、ＴＬＶ信号生成部１１１は、ＴＬＶパケットペイロード内に格納するために信号源装置１０から取得する情報ビットレートＩａｌｌの大容量データとして、イーサネット（登録商標）のフレームに格納されたものや、ＩＰパケットの形式のもの、或いは、純粋な映像及び音声等のＲＡＷデータであってもよい。ＴＬＶ信号生成部１１１は、任意の信号形式（ヘッダを有するものであれば図３に示すようにそのまま格納）で信号源装置１０から取得する大容量データを、ＴＬＶヘッダを付与したＴＬＶ信号に変換することで、後述する分割フレーム生成部１１２の入力信号としてＴＬＶパケット形式の信号に限定することが可能となる。
【００５０】
例えば、情報ビットレートＩａｌｌの大容量データは、図３に示すように、ＩＰパケットとして構成され、そのＩＰパケット内には、ＩＰヘッダ及びＩＰパケットペイロードの他、他のヘッダ情報（例えばＵＤＰ(User Datagram Protocol)ヘッダ等）が付与されたものでもよく、更にそのＩＰパケットペイロード内では、ＭＭＴＰヘッダとＭＭＴＰパケットペイロードからなるＭＭＴＰパケットを構成するＭＭＴ信号を構成したものであってもよい。このように、情報ビットレートＩａｌｌの大容量データが、ヘッダを有するものであれば図３に示すようにそのままＴＬＶパケットペイロードに格納する。これにより本伝送システム１を経由した後でもＩＰベースの信号伝送に悪影響を及ぼすことがなく親和性の高いものすることができる。
【００５１】
ところで、本発明に係る送信装置１は、以下に説明するように、分割フレーム生成部１１２を備えることで、ＩＰベースの信号伝送に親和性の高いものするだけでなく、ＩＳＤＢ−Ｓ３形式のフレーム構造とも親和性が良くなるようにしている。
【００５２】
分割フレーム生成部１１２は、ｍ台の送信機１２への分配に係る情報ビットレートを調整するための分割フレーム（図４参照）を構成して、この分割フレームに基づき、ＴＬＶ信号生成部１１１から入力されるＴＬＶ信号を後続するｍ台の送信機１２へ分割し、当該ＴＬＶ信号がｍ台の送信機１２で伝送可能な最大伝送レートを超える情報ビットレートＩａｌｌのときはＩＰネットワーク１９へも分割して分配する。
【００５３】
送信装置１１は、信号源装置１０から取得する大容量データを伝送するにあたり、衛星伝送路として利用するｍ台の送信機１２を予め決定しており、ｍ台の送信機１２の各々で設定される変調方式及びＬＤＰＣ符号化率によって伝送可能な最大値が定まるため、ｍ台の送信機１２の各々から、当該変調方式及びＬＤＰＣ符号化率を指定するＴＭＣＣ情報（ＴＭＣＣ１，ＴＭＣＣ２，…，ＴＭＣＣｍ）を取得することで、当該情報ビットレートＩ１，Ｉ２，…，Ｉｍを定めることができる。尚、ｍ台の送信機１２が固定の符号化変調方式を用いるものとして予め定めているときは、ＴＭＣＣ情報を取得することなく、当該情報ビットレートＩ１，Ｉ２，…，Ｉｍを定めることができる。ｍ台の送信機１２で伝送可能な最大伝送レートを超える残りのデータに関して、ＩＰネットワーク１９に対しては情報ビットレートＩｎで、信号源装置１０から取得する大容量データを分配する。
【００５４】
図４に示すように、分割フレーム生成部１１２によって生成される分割フレームは、横幅がフレーム長、縦幅が分割スロット数に相当し、この分割フレームは複数の基本分割スロットから構成される。各基本分割スロットは、そのフレーム長が放送伝送路の伝送方式（本例ではＩＳＤＢ−Ｓ３）の伝送フレーム長（ＩＳＤＢ−Ｓ３の１２０スロット分）に対応したものとなっており、放送伝送路の伝送方式と容易に同期が取れ（ＩＳＤＢ−Ｓ３の伝送フレーム１２０スロットと同期が取れ）、且つ放送伝送路の伝送方式（本例ではＩＳＤＢ−Ｓ３）がサポートする最大伝送レート時の符号化変調方式（ＩＳＤＢ−Ｓ３の例では、３２ＡＰＳＫ（ＬＤＰＣ符号化率：９／１０））を収容可能とする設定となっている。即ち、ｍ台の送信機１２がＩＳＤＢ−Ｓ３に準拠したものとするときは、各基本分割スロットの伝送フレーム長を、１２０×４０３９２ビット＝４８４７０４０ビット（６０５８８０バイト）に設定する。
【００５５】
そして、分割フレーム生成部１１２に入力されたＴＬＶ信号は、４バイトのＴＬＶヘッダ及び可変長のＴＬＶパケットペイロードが順次、基本分割スロット＃１から昇順に基本分割スロット＃ｎまで収容される。ここで、基本分割スロット＃１内のＴＬＶ信号は送信機１２‐１用であり、基本分割スロット＃２内のＴＬＶ信号は送信機１２‐２用であり、基本分割スロット＃ｍ内のＴＬＶ信号は送信機１２‐ｍ用であり、基本分割スロット＃ｎ内のＴＬＶ信号はＩＰネットワーク１９経由で伝送するためのものである。
【００５６】
尚、各基本分割スロット内のＴＬＶ信号を構成する各ＴＬＶパケットにおけるＴＬＶヘッダ先頭１バイトの“０ｘ７Ｆ”は当該放送伝送路におけるＴＬＶパケットの先頭位置を判別するパターンとして使用される。
【００５７】
そこで、各基本分割スロットの先頭に配置されるＴＬＶパケット（先頭ＴＬＶパケット）は、図５に示すように、基本分割スロット内におけるＴＬＶ信号の先頭位置を明示するものとなっている。図５は、本発明による一実施例の送信装置１１で用いる分割フレームに係る先頭ＴＬＶパケットの構成図である。基本分割スロットの先頭位置におけるパケットタイプフィールドとして、既存のＴＬＶ信号形式では未定義領域である“０ｘ０４−０ｘＦＤ”から、各分割フレームにおける各基本分割スロットの先頭ＴＬＶパケットを示す識別パターンを設定する。よって、図４及び図５に示す先頭ＴＬＶパケットは、デフォルト設定される他のＴＬＶパケットとは異なるパケットタイプフィールドの値を設定し、いずれの分割フレームにおける、いずれの基本分割スロットの先頭を示すＴＬＶパケットであるかを受信装置１７側で識別できるようにする。
【００５８】
図４に示すように、各基本分割スロットは、ｍ台の送信機１２から取得するＴＭＣＣ情報に基づき、情報ビットレートが調整された残りの領域を埋めるために、各基本分割スロットの後方からヌル（ＮＵＬＬ）が挿入される。このヌルは、分割フレームにおける各ＴＬＶパケットの単位を明確にするために、可変長のヌルＴＬＶパケット（“０ｘＦＦ”を基本単位とする可変長パケット）としてもよいが、放送伝送路上では実際に伝送されない。
【００５９】
ＩＳＤＢ−Ｓ３がサポートする変調方式・ＬＤＰＣ符号化率の組合せは、５５種類あり、限定するものではないが、例えばｍ台の送信機１２の全てにおいて単一の変調方式・ＬＤＰＣ符号による符号化変調方式でデータ伝送を行うと定めた場合、図６に示すように、上記ヌル（ＮＵＬＬ）長も５５種類となる。図６は、本発明による一実施例の送信装置で制御する各送信機（例：ＩＳＤＢ−Ｓ３）の変調方式、ＬＤＰＣ符号化率、基本分割スロットのペイロードサイズ、及び挿入するヌルＴＬＶパケット長の関係を例示する図である。
【００６０】
また、図４から理解されるように、通信伝送路（ＩＰネットワーク１９）経由でデータ分割して伝送する場合も放送伝送路でデータ分割して伝送する場合と同様に、１つの分割フレーム内で先頭ＴＬＶパケットを持つ基本分割スロットを構成している。このため、１つの分割フレームに対し、別途、フレームヘッダを設けることなく、受信装置１７側では、各先頭ＴＬＶパケットにより各分割フレームを再構成できるようにしており、放送伝送路及び通信伝送路のいずれに対しても親和性の高い態様で、伝送効率も高いものとしている。
【００６１】
このようにして、分割フレーム生成部１１２は、図２に示す例ではＴＭＣＣ情報に基づき適時、ｍ台の送信機１２への分配に係る情報ビットレートを調整するための分割フレーム（図４参照）を構成して、この分割フレームに基づき、ＴＬＶ信号生成部１１１から入力されるＴＬＶ信号を後続するｍ台の送信機１２へ分割し、当該ＴＬＶ信号がｍ台の送信機１２で伝送可能な最大伝送レートを超える情報ビットレートＩａｌｌのときはＩＰネットワーク１９へも分割して分配する。
【００６２】
そして、分割フレーム生成部１１２は、大容量データを分割フレーム単位で、ｍ台の送信機１２及びＩＰネットワーク１９へ分配するよう動作するため、クロック同期で分配動作させる際に安定化するとともに、ｍ台の送信機１２の各々における伝送フレーム（本例ではＩＳＤＢ−Ｓ３の伝送フレーム）で収容可能なペイロードサイズが基本分割スロットのペイロードサイズと一致するため、容易にｍ台の送信機１２に対し接続可能となる。
【００６３】
また、ｍ台の送信機１２の各々における符号化変調方式が個々に異なり、可変とする場合でも、分割フレーム生成部１１２は、ｍ台の送信機１２の各々から取得したＴＭＣＣ情報に基づき、対応する各基本分割スロットのペイロードサイズを設定することができるため、ｍ台の送信機１２の各々に対する情報ビットレートが一定となるよう制御することができる。換言すると、ｍ台の送信機１２の各々のＴＭＣＣ情報に基づき、基本分割スロットの情報ビットレートが定まることになる。
【００６４】
一例として、図７は、送信機１２‐１（例：ＩＳＤＢ−Ｓ３）がサポートする符号化変調方式として１６ＡＰＳＫ（ＬＤＰＣ符号化率：７／９）固定時における基本分割スロットの構成例である。図７に示す例では、基本分割スロットあたり、９９．９５５２Ｍｂｐｓ伝送することが可能である。尚、基本分割スロット内のヌル（又はヌルＴＬＶパケット）は、送信装置１１と送信機１２‐１の接続容易性やクロック同期管理を容易とするためのパディング的な機能であることから、送信機１２‐１から放送伝送路上で実際に伝送されることはない。
【００６５】
尚、図２に示すように、分割フレーム生成部１１２は、ｍ台の送信機１２及びＩＰネットワーク１９へのデータの分配数をＴＭＣＣ情報に応じて可変とするとき（即ち、１分割フレームを構成する基本分割スロットの総数を可変とするとき）には、スロット分割数（本例ではｎ）及び各送信機１２に対応する基本分割スロットを示す固有番号（本例では１〜ｍ）の情報について、ｍ台の送信機１２の各々に通知して、ｍ台の送信機１２の各々におけるＴＭＣＣ情報（ＴＭＣＣ１，ＴＭＣＣ２，…，ＴＭＣＣｍ）を用いてｍ台の送信機１２から受信装置１７に向けて伝送させるよう構成するのが好適である。これにより、詳細に後述する受信装置１７が１分割フレームを容易に再構成することができるようになる。
【００６６】
利用するｍ台の送信機１２の全てに通知するスロット分割数の情報は、図４に示す分割フレームにおける基本分割スロットの総数（ｎ）の情報に相当する。ｍ台の送信機１２の各々に通知する基本分割スロットを示す固有番号（本例では１〜ｍ）は、図４に示す各基本分割スロットを識別する固有番号に相当する。
【００６７】
図２に示す例では、分割フレーム生成部１１２は、スロット分割数（本例ではｎ）及び各送信機１２に対応する基本分割スロットを示す固有番号（本例では１〜ｍ）の情報を、ｍ台の送信機１２の各々から取得したＴＭＣＣ情報の拡張領域に埋め込んで返信することで通知する。ＩＳＤＢ−Ｓ３はＴＭＣＣ情報の拡張領域として３６１４ビット利用可能であり、スロット分割数及び基本分割スロットの固有番号の情報を独立して送信するために十分な空き領域を有する。ただし、これらのスロット分割数及び基本分割スロットの固有番号の情報はローカルエリアネットワーク経由で分割フレーム生成部１１２からｍ台の送信機１２の各々に通知する形態でもよいし、各基本分割スロット内に埋め込んでもよい。
【００６８】
例えば、図３に示すようにＴＬＶパケットペイロード内にＭＭＴ信号形式でデータを伝送するよう定めているときは、ＭＭＴＰヘッダ内にスロット分割数及び基本分割スロットの固有番号の情報を埋め込んでもよい。ＭＭＴの場合、ＭＭＴＰヘッダ内に拡張領域が確保されており、それらを利用してスロット分割数及び基本分割スロットの固有番号の情報を通知することも可能である。このように、ＭＭＴなど、固有のヘッダ情報を有する信号形式を格納するよう定めているときは、当該ヘッダ情報の空き領域を利用して通知する。また、スロット分割数を頻繁に変更することは想定しにくいため、各送信機１２の周波数割り当てなど固有の情報について伝送時刻でスケジューリングしたスロット分割数及び基本分割スロットの固有番号の情報を送受（送信装置１１及び受信装置１７）間で予め定めて既知としておくか、又は当該大容量データの伝送前に送信装置１１から受信装置１７へ事前通知することも可能である。
【００６９】
図２に示すＩＰカプセル化部１１３は、情報ビットレートＩｎで、信号源装置１０から取得する大容量データを分配伝送する際に、図４に示す基本分割スロット♯ｎにおけるＴＬＶ信号についてＩＰｖ４又はＩＰｖ６等のインターネットプロトコルに従うヘッダ情報を付加しＩＰカプセル化を施してＩＰベースの信号（ＩＰパケットやイーサネット（登録商標）フレーム等）を形成してＩＰネットワーク１９に出力し、ＩＰネットワーク１９経由で受信装置１７向けに伝送する。受信装置１７では、当該ヘッダ情報を基に受信したＩＰベースの信号を順番に並び替えた後、当該図４に示す基本分割スロット♯ｎにおけるＴＬＶ信号を抽出することになる。ただし、上述したように、送信装置１１は、信号源装置１０からｍ台の送信機１２で伝送可能な最大伝送レートを超える情報ビットレートＩａｌｌのデータを受信装置１７に向けて伝送するときにのみＩＰネットワーク１９への伝送を利用する。尚、図４に示す基本分割スロット♯ｎは、１スロット分に限らず複数スロットとしてもよいが、本実施例では主として伝送時刻の安定性の高い放送伝送路を用いる構成としているため、１スロット分としている。また、送信装置１１から放送伝送路と通信伝送路を用いて大容量データを受信装置１７へ分割伝送する上では、受信装置１７側での当該分割スロットの再構成（各基本分割スロット内のＴＬＶパケットの連結）の容易性の観点から、ｍ台の送信機１２で伝送するための基本分割スロットのサイズと整合する同サイズとしている。
【００７０】
図８は、各送信機（例：ＩＳＤＢ−Ｓ３）がサポートする符号化変調方式として１６ＡＰＳＫ（ＬＤＰＣ符号化率：７／９）固定時におけるフレーム分割数５（４個の送信機（放送伝送路）用及び１個のＩＰネットワーク（通信伝送路）用の基本分割スロット）の構成例である。図８に示す例は、送信装置１１が、ｍ＝４とした４台の送信機１２と接続し、４台の送信機１２の全てが１６ＡＰＳＫ（ＬＤＰＣ符号化率：７／９）に設定され、更にＩＰネットワーク１９分配用に１６ＡＰＳＫ（ＬＤＰＣ符号化率：７／９）と同一の基本伝送スロットを適用し、それを第ｎスロット（ｎ＝５）とした場合の基本分割スロットの構成例である。この場合、スロット分割数は５、基本分割スロットの固有番号は＃１〜＃５まで存在する。
【００７１】
上述したように、図２に示す実施例の送信装置１１は、分割フレーム生成部１１２により、スロット分割数（５）及び各送信機１２に対応する基本分割スロットを示す固有番号（本例ではｍ＝１〜４）の情報について、ｍ台の送信機１２の各々に通知して、ｍ台の送信機１２の各々におけるＴＭＣＣ情報（ＴＭＣＣ１，ＴＭＣＣ２，…，ＴＭＣＣｍ）を用いてｍ台の送信機１２から受信装置１７に向けて伝送させるよう構成するのが好適である。このため、以下、図２に示す送信装置１１に対応する本発明に係る一実施例の受信装置１７について詳細に説明する。
【００７２】
（受信装置）
図９は、本発明による一実施例の受信装置１７の概略構成を示すブロック図である。この受信装置１７は、分割フレーム再構成部１７１、ＩＰデカプセル化部１７２、及び出力信号生成部１７３、を備える。
【００７３】
分割フレーム再構成部１７１は、ｍ台の送信機１２にそれぞれ対応するｍ台の受信機１６から得られるＴＭＣＣ情報（ＴＭＣＣ１，ＴＭＣＣ２，…，ＴＭＣＣｍ）を基に分割フレームの構造（基本分割スロットのスロット分割数等）を識別し、且つ各基本分割スロットを構成する先頭ＴＬＶパケットをＴＬＶヘッダ内の設定情報を基に判別して、当該ｍ台の送信機１２から伝送される当該情報ビットレートＩ１，Ｉ２，…，Ｉｍの各データについて各基本分割スロット内の後方でヌル（又はヌルＴＬＶパケット）を挿入して図４を参照して上述した分割フレームを再構成する。尚、本例では、図４に示す分割フレームを再構成するためのスロット分割数及び各送信機１２に対応する基本分割スロットを示す固有番号の情報が、ＴＭＣＣ情報（ＴＭＣＣ１，ＴＭＣＣ２，…，ＴＭＣＣｍ）を用いて伝送されている。ただし、複数の放送伝送路で用いられる符号化変調方式が予め既知である場合、且つｍ台の送信機１２及びＩＰネットワーク１９へのデータの分配数が可変でなく固定の場合や、送受間で予め既知であるようにスケジューリング又は事前通知されているときは、分割フレーム再構成部１７１は、当該ＴＭＣＣ情報（ＴＭＣＣ１，ＴＭＣＣ２，…，ＴＭＣＣｍ）を参照する必要なく、予め固定フレーム長である分割フレームを再構成することができる。
【００７４】
つまり、分割フレーム再構成部１７１は、上述した図５に示す先頭ＴＬＶパケットを判定することで、他のＴＬＶヘッダと区別して各基本分割スロットの先頭位置を把握することが可能である。そして、分割フレーム再構成部１７１は、図４に示す分割フレームを再構成するためのスロット分割数及び各送信機１２に対応する基本分割スロットを示す固有番号の情報から、各基本分割スロットに対応する情報ビットレートでＴＬＶパケット配置を決定し、所定量のヌル（又はヌルＴＬＶパケット）を各基本分割スロットの後方に挿入することで、図４に示す分割フレームを再構成する。これにより、実際には放送伝送路及び通信伝送路では伝送されないヌル（又はヌルＴＬＶパケット）を用いて分割フレームを正確に復元することで、各分割フレームにおける各基本分割スロット間の処理速度を一定に保ち処理を安定化させることが可能となり、放送伝送路及び通信伝送路における伝送遅延を補償することが可能となる。また、先頭ＴＬＶパケットにより各基本分割スロットの先頭位置を把握することが可能であるため、別途、フレームヘッダを設けることなく、受信装置１７側では、各先頭ＴＬＶパケットにより各分割フレームを再構成することができ、放送伝送路及び通信伝送路のいずれに対しても親和性の高い態様で、伝送効率も高いものとなる。
【００７５】
ＩＰデカプセル化部１７２は、送信装置１１からＩＰネットワーク１９を経て送出される分配後の一部データ（情報ビットレートＩｎのデータ）があるときは、そのデータをも受信してＩＰデカプセル化を施し、当該図４に示す基本分割スロット♯ｎにおけるＴＬＶ信号を抽出して分割フレーム再構成部１７１に出力する。これにより、分割フレーム再構成部１７１は、送信装置１１からＩＰネットワーク１９を経て送出される分配後の一部データ（情報ビットレートＩｎのデータ）があるときは、そのデータをも受信して、図４を参照して上述した当該分割フレームを再構成する。
【００７６】
出力信号生成部１７３は、再構成した当該分割フレームにおける基本分割スロット＃１から基本分割スロット＃ｎまでのデータについて各基本分割スロットの昇順に、ＴＬＶヘッダ（先頭ＴＬＶヘッダを含む）及びヌルを削除した上で連結し（即ち、有効データについて連結し）、信号源装置１０から送出されたものと同じ信号形式の大容量データ（情報ビットレートＩａｌｌで伝送されたものとしたときと等価なデータ）を復元し、表示装置１８に適した出力信号を生成して表示装置１８に出力する。尚、表示装置１８の代わりに、大容量データを記録媒体に記録する記録装置としてもよい。
【００７７】
以上のように、本発明に係る送信装置１１及び受信装置１７を備える伝送システム１は、ＴＬＶパケット形式で大容量データを分割してバルク伝送するよう構成される。そして、送信装置１１は、当該バルク伝送に用いる複数の放送伝送路に対して共通する伝送方式に準拠したフレーム長の分割フレームを定める。特に、送信装置１１は、当該大容量データの伝送に要する情報ビットレートが当該複数の放送伝送路の最大伝送レート内に収まるときは当該複数の放送伝送路に応じた数の基本分割スロットで当該分割フレームを構成し、当該大容量データの伝送に要する情報ビットレートが当該複数の放送伝送路で伝送可能な最大伝送レートを超えるときは更にＩＰベースの通信伝送路の数の基本分割スロットを加えて当該分割フレームを構成する。そして、送信装置１１は、この分割フレームを基準に当該ＴＬＶパケット形式の信号に変換された大容量データを分割伝送するよう、当該複数の放送伝送路における各送信機１２、並びに当該通信伝送路（ＩＰネットワーク１９）への接続を制御するものとなっている。これにより、当該大容量データの伝送に係る情報ビットレートを安定化せしめ、送信装置１１及び受信装置１７間のデータ伝送同期を容易、且つ安定化して、利用する放送伝送路及び通信伝送路に対する接続容易性（接続タイミングの同期容易性）を向上させることができる。特に、放送伝送路の伝送方式をＩＳＤＢ−Ｓ３方式としたときに、分割フレームを構成する基本分割スロットを、ＩＳＤＢ−Ｓ３の１２０スロット分に対応したフレーム長としている。
【００７８】
更に、本発明に係る送信装置１１は、当該分割フレームを構成する各基本分割スロットに対し、その先頭のＴＬＰパケットを示す先頭ＴＬＶパケットを各基本分割スロット内の他のＴＬＰパケットとは区別するようＴＬＶヘッダ内の設定で定め、いずれの分割フレームにおける、いずれの基本分割スロットの先頭を示すＴＬＶパケットであるかを受信装置１７側で識別できるようにして分割フレームを構成する。そして、本発明に係る受信装置１７においては、当該複数の放送伝送路、並びに当該通信伝送路を経て受信したＴＬＶパケット形式の信号のうちＴＬＶヘッダ内の設定情報を基に先頭ＴＬＶパケットを判別して、いずれの分割フレームにおける、いずれの基本分割スロットの先頭を示すＴＬＶパケットであるかを識別して分割フレームを再構成する。これにより、別途、フレームヘッダを設けることなく、受信装置１７側では、各先頭ＴＬＶパケットにより各分割フレームを再構成することができ、放送伝送路及び通信伝送路のいずれに対しても親和性の高い態様で、伝送効率も高いものとなる。
【００７９】
また、本発明に係る送信装置１１及び受信装置１７は、当該分割フレームを構成又は再構成する際に、当該複数の放送伝送路の各々の符号化変調方式に基づきそれぞれ対応する情報ビットレートを算出し、各基本分割スロットを構成する当該分割フレームのフレーム長が一定値になるよう各放送伝送路における情報ビットレートに応じて割り当てたデータの後段にヌルを挿入して当該複数の放送伝送路用の基本分割スロット、並びに当該複数の放送伝送路用に合わせて当該通信伝送路用の基本分割スロットを形成する。当該複数の放送伝送路の各々の符号化変調方式については当該複数の放送伝送路の各々の伝送制御に用いるＴＭＣＣ情報から把握する構成とすることができる。これにより、例えば放送伝送路に用いる伝送方式がＩＳＤＢ−Ｓ３であるときは５５種類の符号化変調方式が存在し、従来技法であればデータ分割の際にその５５種類の符号化変調方式に応じて独立してクロック同期制御を行う必要が生じていたところ、本発明に係る送信装置１１及び受信装置１７では、そのような独立したクロック同期制御を行う必要がなくなり、各分割フレームにおける各基本分割スロット間の処理速度を一定に保ち処理を安定化させることが可能となり、放送伝送路及び通信伝送路における伝送遅延を補償することが可能となる。
【００８０】
また、本発明に係る送信装置１１は、ＴＬＶパケット形式で大容量データを分割してバルク伝送する際に、分割フレームを構成する基本分割スロットのスロット分割数を変更可能とし、分割フレームを構成する基本分割スロットのスロット分割数及び各基本分割スロットの固有番号の情報を受信装置１７に通知する手段を有する。尚、スロット分割数を頻繁に変更することは想定しにくいため、各送信機１２の周波数割り当てなど固有の情報について伝送時刻でスケジューリングしたスロット分割数及び基本分割スロットの固有番号の情報を送受（送信装置１１及び受信装置１７）間で予め定めて既知としておくことも可能であるが、当該大容量データの伝送前に送信装置１１から受信装置１７へ事前通知する構成が有効である。
【００８１】
加えて、本発明に係る送信装置１１は、分割フレームを構成する基本分割スロットのスロット分割数及び各基本分割スロットの固有番号の情報を当該複数の放送伝送路の各々の伝送制御に用いるＴＭＣＣ情報内に埋め込んで受信装置１７に通知するのが好適である。即ち、当該情報は、各基本分割スロット内に埋め込むことや、各基本分割スロット内のＴＬＶパケットに格納される所定信号形式（ＭＭＴ等）のヘッダ情報内に埋め込むことも可能であるが、ＴＭＣＣ情報内に埋め込んで受信装置１７に通知する構成の方が利便性の高いものとなる。
【００８２】
上述した実施例に関して、送信装置１又は受信装置１７として機能するコンピュータを構成させ、送信装置１又は受信装置１７の各手段を機能させるためのプログラムを好適に用いることができる。具体的には、各手段を制御するための制御部をコンピュータ内の中央演算処理装置（ＣＰＵ）で構成でき、且つ、各手段を動作させるのに必要となるプログラムを適宜記憶する記憶部を少なくとも１つのメモリで構成させることができる。即ち、そのようなコンピュータに、ＣＰＵによって該プログラムを実行させることにより、上述した各手段の有する機能を実現させることができる。更に、各手段の有する機能を実現させるためのプログラムを、前述の記憶部（メモリ）の所定の領域に格納させることができる。そのような記憶部は、装置内部のＲＡＭ又はＲＯＭなどで構成させることができ、或いは又、外部記憶装置（例えば、ハードディスク）で構成させることもできる。また、そのようなプログラムは、コンピュータで利用されるＯＳ上のソフトウェア（ＲＯＭ又は外部記憶装置に格納される）の一部で構成させることができる。更に、そのようなコンピュータに、各手段として機能させるためのプログラムは、コンピュータが読取り可能な記録媒体に記録することができる。また、上述した各手段をハードウェア又はソフトウェアの一部として構成させ、各々を組み合わせて実現させることもできる。
【００８３】
上述の実施例については代表的な例として説明したが、本発明の趣旨及び範囲内で、多くの変更及び置換することができることは当業者に明らかである。例えば、上述した実施例では、ＩＳＤＢ−Ｓ３方式の伝送方式の衛星伝送路を放送伝送路として利用する形態を説明したが、例えばＩＳＤＢ−Ｓ３方式と伝送フレーム構成がほぼ同様とすることが予定されている次世代の４Ｋ・８Ｋ等の地上伝送路を放送伝送路として利用する形態とすることも可能である。また、上述した実施例では、送信装置１１と、ｍ台の送信機１２とを別個に備える形態を説明したが、送信装置１１内にｍ台の送信機１２を包含するよう設けたものであってもよい。従って、本発明は、上述の実施例によって制限するものと解するべきではなく、特許請求の範囲によってのみ制限される。
【００８４】
以上、特定の実施例を挙げて本発明を説明したが、本発明は前述の実施例に限定されるものではなく、その技術思想を逸脱しない範囲で種々変形可能である。例えば、上述した実施例では、主として衛星伝送路を放送伝送路として用いる例を説明したが、地上伝送路を放送伝送路として用いてもよい。
【産業上の利用可能性】
【００８５】
本発明によれば、放送伝送路の周波数がひっ迫する環境においても、データ伝送に係る全体の伝送容量を高め、ＩＰとの親和性の高い伝送システムを実現することが可能となるので、複数種類のデジタル変調方式を用いて大容量データを分割し時分割多重する伝送システムの用途に有用である。
【符号の説明】
【００８６】
１  伝送システム
１０  信号源装置
１１  送信装置
１２，１２‐１，１２‐２，…，１２‐ｍ  送信機
１３，１３‐１，１３‐２，…，１３‐ｍ  送信アンテナ
１４  放送衛星
１５  受信アンテナ
１６，１６‐１，１６‐２，…，１６‐ｍ  受信機
１７  受信装置
１８  表示装置
１９  ＩＰネットワーク
１１１  ＴＬＶ信号生成部
１１２  分割フレーム生成部
１１３  ＩＰカプセル化部
１７１  分割フレーム再構成部
１７２  ＩＰデカプセル化部
１７３  出力信号生成部
【図１】
2020123763.tif 000004
【図２】
2020123763.tif 000005
【図３】
2020123763.tif 000006
【図４】
2020123763.tif 000007
【図５】
2020123763.tif 000008
【図６】
2020123763.tif 000009
【図７】
2020123763.tif 000010
【図８】
2020123763.tif 000011
【図９】
2020123763.tif 000012